(57)【要約】【課題】メンテナンスおよび小型化が容易な電気機器の取付構造、制御ユニットおよび給湯装置を提供する。【解決手段】スライド受け部２４ａは、漏電安全装置３０の第１の方向Ｄ１のスライドを規制する。前壁部２４ｂは、背板部２１ａの前面から前方に向かって漏電安全装置３０が移動することを規制する。係止部２２は、背板部２１ａに対して弾性変形可能に構成され、かつ溝部２２ｃを有している。漏電安全装置３０は背面にリブ状凸部３５を有している。漏電安全装置３０がスライド受け部２４ａに当接したときに、漏電安全装置３０の背面において、溝部２２ｃにリブ状凸部３５がはまり込むことにより漏電安全装置３０がコントローラケース２０ａに対して第２の方向Ｄ２へ移動することが規制される。【選択図】図３
2014119231.tif 000002
【特許請求の範囲】
【請求項１】
背面を有する電気機器と、
前面を有し、かつ前記前面にて前記電気機器を取付け、取外すためのケースとを備え、
前記ケースは、
背板部と、
前記電気機器の前記背面を前記背板部の前記前面に対向させた状態で前記電気機器を前記前面に沿わせて第１の方向にスライドさせた際に前記電気機器に当接して前記電気機器の前記第１の方向のスライドを規制するように前記背板部に設けられたスライド受け部と、
前記電気機器が前記スライド受け部に当接したときに前記前面から前方に向かって前記電気機器が移動することを規制するように前記背板部に設けられた前壁部と、
前記背板部の一部を切り欠くことにより前記背板部に対して弾性変形可能に構成され、かつ前記前方側に第１の段部を有する係止部とを含み、
前記電気機器は、前記背面に形成され、かつ前記第１の段部に係合可能な第２の段部を含み、
前記電気機器が前記スライド受け部に当接したときに、前記第１の段部と前記第２の段部とのかみ合わせにより前記電気機器が前記ケースに対して前記第１の方向とは反対の第２の方向へ移動することが規制されるように、前記第１および第２の段部の各々が位置付けられている、電気機器の取付構造。
【請求項２】
前記係止部は、前記電気機器がスライドするときに前記電気機器の前記背面に押圧されて前記前方側とは反対側に退避し、かつ前記電気機器が前記スライド受け部に当接したときに前記前方側に復元して前記第１の段部が前記第２の段部にかみ合うように構成されている、請求項１に記載の電気機器の取付構造。
【請求項３】
前記第１の段部は、前記係止部の前記前面から前記前方に向かって突出する突出部により構成されている、請求項１または２に記載の電気機器の取付構造。
【請求項４】
前記突出部は半球状に構成されている、請求項３に記載の電気機器の取付構造。
【請求項５】
前記第２の段部は、前記電気機器の前記背面に形成されたリブ状凸部により構成されている、請求項３または４に記載の電気機器の取付構造。
【請求項６】
前記電気機器が前記スライド受け部に当接するように前記ケースに取付けられた状態において、
前記リブ状凸部は、前記第１の方向と交差する方向に延在する線状突起を有し、
前記第１の段部を構成する前記突出部は、前記線状突起に対して平行な方向に延在する線状を有している、請求項５に記載の電気機器の取付構造。
【請求項７】
前記電気機器が前記スライド受け部に当接するように前記ケースに取付けられた状態において、前記係止部は前記電気機器の前記背面の領域からはみ出すように構成されている、請求項１〜６のいずれか１項に記載の電気機器の取付構造。
【請求項８】
前記電気機器は漏電ブレーカである、請求項１〜７のいずれか１項に記載の電気機器の取付構造。
【請求項９】
請求項１〜８のいずれか１項に記載の前記電気機器の取付構造を備えた、制御ユニット。
【請求項１０】
請求項９に記載の前記制御ユニットを備えた、給湯装置。
【発明の詳細な説明】
【技術分野】
【０００１】
本発明は、電気機器の取付構造、制御ユニットおよび給湯装置に関し、特に、電気機器をケースに取付け、取外すための電気機器の取付構造、制御ユニットおよび給湯装置に関するものである。
【背景技術】
【０００２】
風呂釜付き給湯装置などの電気機器においては、一般に、漏電ブレーカなどの漏電安全装置が装備される。この漏電安全装置を制御ユニットに取付ける場合、漏電安全装置をケースの所定位置に位置決めしてネジ止めするのが一般的である。
【０００３】
しかし、制御機器の据付場所などによってはネジ止めしにくい場合があり、漏電安全装置の取付け、取外しメンテナンスが困難になることがあった。このメンテナンスを容易にする技術は、たとえば特開２００５−１７４７３４号公報（特許文献１参照）に記載されている。
【０００４】
この公報には、漏電安全装置を機器ケースに対してスライドさせて取付ける際に、その取付位置において漏電安全装置の上端に係止爪部を係止させることにより、スライド方向への移動を阻止することが記載されている。
【先行技術文献】
【特許文献】
【０００５】
【特許文献１】特開２００５−１７４７３４号公報
【発明の概要】
【発明が解決しようとする課題】
【０００６】
上記公報に記載の漏電安全装置の取付構造では、漏電安全装置の上端を係止する係止爪部のためのスペースが必要となる。このため、機器ケースの小型化が困難であり、この機器ケースを備えた制御ユニットおよび給湯装置の小型化も阻害されるという問題がある。
【０００７】
本発明は、上記の課題に鑑みてなされたものであり、その目的は、メンテナンスおよび小型化が容易な電気機器の取付構造、制御ユニットおよび給湯装置を提供することである。
【課題を解決するための手段】
【０００８】
本発明の電気機器の取付構造は、背面を有する電気機器と、前面を有し、かつ前面にて電気機器を取付け、取外すためのケースとを備えている。ケースは、背板部と、スライド受け部と、前壁部と、係止部とを含んでいる。スライド受け部は、電気機器の背面を背板部の前面に対向させた状態で電気機器を前面に沿わせて第１の方向にスライドさせた際に電気機器に当接して電気機器の第１の方向のスライドを規制するように背板部に設けられている。前壁部は、電気機器がスライド受け部に当接したときに前面から前方に向かって電気機器が移動することを規制するように背板部に設けられている。係止部は、背板部の一部を切り欠くことにより背板部に対して弾性変形可能に構成され、かつ前方側に第１の段部を有している。電気機器は第２の段部を含んでおり、第２の段部は電気機器の背面に形成され、かつ第１の段部に係合可能である。電気機器がスライド受け部に当接したときに、第１の段部と第２の段部とのかみ合わせにより電気機器がケースに対して第１の方向とは反対の第２の方向へ移動することが規制されるように、第１および第２の段部の各々が位置付けられている。
【０００９】
本発明の電気機器の取付構造によれば、電気機器の背面において、係止部の第１の段部と電気機器の第２の段部とをかみ合わせることができる。このため電気機器がスライド受け部に当接したときに、係止部をその電気機器の背面の領域内に収めることができる。これにより、係止部が電気機器の背面領域の外側に位置するスペースを省略することができるため、ケースの小型化が容易となり、そのケースおよび電気機器の取付構造の小型化も容易となる。
【００１０】
また係止部の第１の段部と電気機器の第２の段部とをかみ合わせ、またはそのかみ合わせを解除することにより、ケースに対して電気機器を容易に取付け、取外すことができる。これにより電気機器をケースにネジで取付けた場合などと比較して、メンテナンスが容易になる。
【００１１】
上記の電気機器の取付構造において、係止部は、電気機器がスライドするときに電気機器の背面に押圧されて前方側とは反対側に退避し、かつ電気機器がスライド受け部に当接したときに前方側に復元して第１の段部が第２の段部にかみ合うように構成されている。
【００１２】
このように係止部の弾性変形とその復元を利用することにより簡易な構成で電気機器をケースに取付け、取外すことが可能となる。
【００１３】
上記の電気機器の取付構造において、第１の段部は、係止部の前面から前方に向かって突出する突出部により構成されている。
【００１４】
このように突出部を設けるという簡単な構成により第１の段部を設けることができる。
上記の電気機器の取付構造において、突出部は半球状に構成されている。
【００１５】
これにより、突出部の付け根から突出部の頂部までは、係止部の長手方向に沿って徐々に係止部の厚みが増える。このため、電気機器はその背面が突出部に接触しながらスライドされると、係止部は徐々に前面側とは反対側に退避するようになる。よって、係止部は背板部に対してスムーズに弾性変形することができる。
【００１６】
上記の電気機器の取付構造において、第２の段部は、電気機器の背面に形成されたリブ状凸部により構成されている。
【００１７】
これにより電気機器の強度向上のためのリブ状凸部を第１の段部とのかみ合わせに利用することができ、かみ合わせ専用の別要素の追加を省略することができる。
【００１８】
上記の電気機器の取付構造において、電気機器がスライド受け部に当接するようにケースに取付けられた状態で、リブ状凸部は第１の方向と交差する方向に延在する線状突起を有し、第１の段部を構成する突出部は線状突起に対して平行な方向に延在する線状を有している。
【００１９】
これにより、第１の段部および第２の段部のかみ合いも線状にすることができるため、電気機器がケースに対して第２の方向へ移動することを確実に規制することができる。
【００２０】
上記の電気機器の取付構造において、電気機器がスライド受け部に当接するようにケースに取付けられた状態において、係止部は電気機器の背面の領域からはみ出すように構成されている。
【００２１】
これにより、電気機器がケースに取付けられた状態でも、電気機器の背面の領域からはみ出した係止部の端部を前面側とは反対側に押すことができる。このように係止部の端部を押して係止部をたわませることで、係止部の第１の段部と電気機器の第２の段部とのかみ合わせを容易に解除することが可能となる。
【００２２】
上記の電気機器の取付構造において、電気機器は漏電ブレーカである。
特に漏電ブレーカは比較的高い電圧を扱うため漏電ブレーカに接続される配線が太くなる。この場合でも、本発明では上記のように係止部が電気機器の背面領域の外側に位置するスペースを省略できるため、その分、太い配線を配置するスペースを大きく確保することもできる。よって、太い配線の引き回しも容易になる。
【００２３】
本発明の制御ユニットは、上記のいずれかに記載の電気機器の取付構造を備えている。
本発明の制御ユニットによれば、上記のメンテナンスおよび小型化が容易な電気機器の取付構造が備えられているため、制御ユニット自身のメンテナンスおよび小型化も容易となる。
【００２４】
本発明の給湯装置は、上記のいずれかに記載の制御ユニットを備えている。
本発明の給湯装置によれば、上記のメンテナンスおよび小型化が容易な制御ユニットが備えられているため、給湯装置自身の小型化も容易となる。
【発明の効果】
【００２５】
以上説明したように本発明によれば、メンテナンスおよび小型化が容易な電気機器の取付構造、制御ユニットおよび給湯装置を実現することができる。
【図面の簡単な説明】
【００２６】
【図１】本発明の実施の形態１における制御機器を備えた給湯装置の構成を概略的に示す図である。
【図２】図１に示す給湯装置に用いられる制御ユニットの構成を概略的に示す分解斜視図である。
【図３】図２に示す制御ユニットの構成を概略的に示す正面図である。
【図４】図２および図３に示す制御ユニットに用いられるケースの係止部の構成を概略的に示す部分拡大斜視図である。
【図５】図２および図３に示す電気機器の構成を背面側から概略的に示す斜視図である。
【図６】本発明の実施の形態１における小型の電気機器の取付動作の第１工程（Ａ）および第２工程（Ｂ）を概略的に示す側面図である。
【図７】本発明の実施の形態１における大型の電気機器の取付状態を概略的に示す側面図である。
【図８】本発明の実施の形態２におけるケースの構成の一部を概略的に示す部分拡大正面図である。
【図９】図８に示すケースに大型の電気機器を取付けた状態を概略的に示す部分拡大正面図である。
【図１０】図９のＸ−Ｘ線に沿う概略端面斜視図である。
【図１１】図８に示すケースに小型の電気機器を取付けた状態を概略的に示す部分拡大正面図である。
【図１２】図１１のＸＩＩ−ＸＩＩ線に沿う概略端面斜視図である。
【図１３】本発明の実施の形態２における電気機器の取付構造の変形例の構成を概略的に示す部分拡大正面図である。
【発明を実施するための形態】
【００２７】
以下、本発明の実施の形態について図に基づいて説明する。
（実施の形態１）
図１を参照して、給湯装置１は、バーナー２ａおよび熱交換器２ｂからなる給湯用の加熱部２と、バーナー３ａおよび熱交換器３ｂからなる循環温水用の加熱部３とを有している。この循環温水用の加熱部３には、循環往路４ａと循環復路４ｂとが接続されるとともに、循環復路４ｂには循環ポンプ５が接続されている。
【００２８】
給湯用加熱部２の上流部には、上水道につながる給水路６が接続されるとともに、下流部には給湯路７が接続されている。この給湯路７には、台所や洗面所などに設置されるカラン８が接続されている。また、給湯路７には分岐通路９が接続されている。この分岐通路９は、電磁弁１０と逆止弁１１とを介在して循環往路４ａに接続されている。
【００２９】
この給湯装置１は制御機器２０を有している。この制御機器２０は、漏電安全装置（電気機器）３０と、電源部１４と、メインコントローラ１５とが含まれている。漏電安全装置３０は、商用電源などの元電源が供給されるものである。電源部１４は、この漏電安全装置３０から電力を供給され、主として所定の安定化電圧を生成するなどして、給湯装置１内で必要とする電源を供給するためのものである。
【００３０】
メインコントローラ１５は、たとえばマイクロコンピュータなどを主要部として含んでいる。このメインコントローラ１５は、電源部１４から電力を供給され、給湯装置１内の加熱部２、３、循環ポンプ５、電磁弁１０などの動作をマイクロコンピュータによって制御するためのものである。また、メインコントローラ１５には、遠隔コントローラ１６が１個もしくは複数個接続されている。遠隔コントローラ１６は、メインコントローラ１５と双方向通信が可能である。
【００３１】
すなわち、制御機器２０は、給湯装置１などの被制御機器を制御するための制御ユニット（メインコントローラ１５へ電源を供給する電源部１４も含む）のことである。
【００３２】
次に、この制御ユニット２０の具体的な構成について図２〜図４を用いて説明する。
図２および図３を参照して、制御ユニット２０はコントローラケース（ケース）２０ａを有している。このコントローラケース２０ａは、上記の漏電安全装置３０、電源部１４およびメインコントローラ１５の各々を取付けるためのものである。
【００３３】
このコントローラケース２０ａは、前面が開放された箱状に樹脂成形されている。コントローラケース２０ａは、漏電安全装置取付部２１と、２つの収納室２５、２６とを有している。収納室２５には、たとえば電源部１４が収納されている。また収納室２６には、たとえばメインコントローラ１５が収納されている。
【００３４】
漏電安全装置取付部２１は、漏電安全装置３０を取付け、取外し可能に構成されている。具体的には、漏電安全装置取付部２１は、背板部２１ａと、２つのスライド受け部２４ａと、２つの前壁部２４ｂと、たとえば２つの係止部２２とを含んでいる。
【００３５】
背板部２１ａは、たとえば平板からなっている。２つのスライド受け部２４ａの各々は、その背板部２１ａの前方側（漏電安全装置３０と対向する側）に突き出すように形成されている。
【００３６】
２つの前壁部２４ｂの各々は、背板部２１ａの前面側に位置し、かつ背板部２１ａの前面との間に隙間を有するように背板部２１ａに設けられている。２つの前壁部２４ｂの各々の第１の方向Ｄ１側にスライド受け部２４ａが位置している。また前壁部２４ｂと背板部２１ａの前面との間の隙間は第１の方向Ｄ１とは反対側の第２の方向Ｄ２に開口されている。またその隙間は、第１および第２の方向に直交する方向であって他方の前壁部２４ｂと対向する側において開口している。
【００３７】
２つの係止部２２は、２つの前壁部２４ｂの間に挟まれる領域に配置されている。この２つの係止部２２の各々は、背板部２１ａの一部を切り欠くことにより片持ち梁の形状を有しており、かつ背板部２１ａと一体に形成されている。これにより、２つの係止部２２の各々は背板部２１ａに対して弾性変形可能に構成されている。
【００３８】
図４を参照して、２つの係止部２２の各々の前方側には、テーパー部２２ａと、凸状ストッパ部２２ｂと、溝部２２ｃとが形成されている。テーパー部２２ａ、溝部２２ｃおよび凸状ストッパ部２２ｂは、この順で、係止部２２の自由端を構成する先端部側から固定端を構成する根元側に向かって配置されている。つまりテーパー部２２ａが係止部２２の先端部側に位置しており、そのテーパー部２２ａよりも根元側に溝部２２ｃが位置しており、さらに溝部２２ｃよりも根元側に凸状ストッパ部２２ｂが位置している。
【００３９】
テーパー部２２ａは、先端部側から根元側に向けて徐々に厚みが厚くなるように形成されており、溝部２２ｃとの境界において最も厚い厚みを有している。溝部２２ｃにおける係止部２２の厚みは、溝部２２ｃとの境界におけるテーパー部２２ａの厚みより小さくなっている。これにより、溝部２２ｃとテーパー部２２ａとの境界において段差（第１の段部）が形成されている。
【００４０】
凸状ストッパ部２２ｂの厚みは、溝部２２ｃにおける係止部２２の厚みよりも大きくなっている。これにより、溝部２２ｃと凸状ストッパ部２２ｂとの境界にも段差が形成されている。この凸状ストッパ部２２ｂは、たとえば断面が半円の形状を有している。
【００４１】
これらのテーパー部２２ａ、溝部２２ｃおよび凸状ストッパ部２２ｂの各々は、係止部２２の幅方向（短手方向）全体に直線状に延びて形成されている。このためテーパー部２２ａおよび凸状ストッパ部２２ｂの各々は線状の突出部（凸部）を構成しており、溝部２２ｃは線状の凹部を構成している。
【００４２】
これらのテーパー部２２ａ、溝部２２ｃおよび凸状ストッパ部２２ｂを１組の凹凸部２２Ａとしたとき、２組の凹凸部２２Ａが係止部２２の先端部側から根元側に向かう長手方向に沿って並んでいることが好ましい。この際、１組目の凹凸部２２Ａの凸状ストッパ部２２ｂの隣に２組目の凹凸部２２Ａのテーパー部２２ａが配置されている。
【００４３】
図２および図３を参照して、漏電安全装置３０は、電源入力端子と、電源出力端子と、漏電検知回路と、スイッチとを主に有している。電源入力端子は元電源と接続するための端子である。電源出力端子は、電源部１４またはメインコントローラ１５と接続するための端子である。漏電検知回路は、この電源出力端子より下流側の電路の漏電を検知するためのものである。スイッチは、その漏電検知回路において漏電が検知された際に作動して、電源入力端子から電源出力端子に至る電路を遮断するためのものである。
【００４４】
漏電安全装置３０は、本体部３１と、２つの突起部３２と、複数の配線接続部３３とを主に有している。本体部３１は、上記の漏電検知回路やスイッチを含む漏電ブレーカと、その漏電ブレーカを収納したケースとを有している。
【００４５】
複数の配線接続部３３は、上記の電源入力端子および電源出力端子を含んでいる。複数の配線接続部３３の各々には、配線３４が電気的に接続されている。この配線３４には、外部電源に接続する入力用電装線、電源部１４に接続する出力用電装線、およびアース電装線が含まれている。
【００４６】
２つの突起部３２は、本体部３１の互いに対向する両側面のそれぞれから側方に突き出すように取付けられている。２つの突起部３２の各々は本体部３１の背面側の端部に位置している。
【００４７】
図５を参照して、本体部３１の背面にはたとえば格子状のリブ状凸部３５が形成されている。つまり本体部３１の背面には、複数の線状突起が格子を構成するように形成されている。本体部３１の背面においてリブ状凸部３５が形成された箇所は凸部となり、形成されていない箇所は凹部３６となっている。この凹部３６とリブ状凸部３５の境界に段差（第２の段部）が形成されている。
【００４８】
図２を参照して、漏電安全装置３０は、その漏電安全装置３０の背面を背板部２１ａの前面に対向させた状態で漏電安全装置３０をその前面に沿って第１の方向Ｄ１にスライドさせることによりコントローラケース２０ａに取付けることができる。
【００４９】
スライド受け部２４ａは、この漏電安全装置３０の第１の方向Ｄ１へのスライドの際に漏電安全装置３０に当接するように構成されている。これによりスライド受け部２４ａは、漏電安全装置３０の第１の方向Ｄ１のスライドを規制するように設けられている。
【００５０】
上記のスライドの際には、係止部２２は、漏電安全装置３０の背面に押圧されて前方側とは反対側に退避するように弾性変形可能である。また係止部２２は、漏電安全装置３０がスライド受け部２４ａに当接したときに前方側に復元できるように構成されている。
【００５１】
図３を参照して、上記の漏電安全装置３０のスライドにより、漏電安全装置３０がスライド受け部２４ａに当接した際には、漏電安全装置３０の突起部３２は、前壁部２４ｂと背板部２１ａの前面との間の隙間に差し込まれている。この状態において、突起部３２は漏電安全装置３０が背板部２１ａの前面から前方に向かって移動することを規制するように構成されている。
【００５２】
また漏電安全装置３０がスライド受け部２４ａに当接したときには係止部２２の前方側への上記復元により、溝部２２ｃにリブ状凸部３５が嵌るように溝部２２ｃは係止部２２に位置付けられている。そして溝部２２ｃにリブ状凸部３５が嵌り込んだ状態においては、溝部２２ｃとテーパー部２２ａとの境界の段差と、リブ状凸部３５と凹部３６との境界の段差とが互いにかみ合う（当接する）ように構成されている。
【００５３】
上記の段差同士のかみ合い（当接）により、漏電安全装置３０がコントローラケース２０ａに対して第２の方向Ｄ２へ移動することが規制されるように溝部２２ｃおよびリブ状凸部３５が位置付けられている。
【００５４】
次に、本実施の形態の漏電安全装置３０のコントローラケース２０ａへの取付動作について図２、図３、図６および図７を用いて説明する。
【００５５】
図２を参照して、漏電安全装置３０は、その漏電安全装置３０の背面を背板部２１ａの前面に対向させた状態で漏電安全装置３０をその前面に沿って第１の方向Ｄ１にスライドされる。
【００５６】
図６（Ａ）を参照して、矢印Ｄ１方向へのスライドの際、係止部２２は、漏電安全装置３０の背面のリブ状凸部３５に押圧されて前方側Ｄ４とは反対側Ｄ３に退避するように背板部２１ａに対して弾性変形する。ここで、テーパー部２２ａは先端部から根元部に向かって徐々に厚みが厚くなるように構成されている。このため、リブ状凸部３５がテーパー部２２ａに接触しながらスライドされると、係止部２２は徐々に反対側Ｄ３に退避するようになる。よって、リブ状凸部３５がテーパー部２２ａを通過する際において係止部２２は背板部２１ａに対してスムーズに弾性変形することができる。
【００５７】
図３を参照して、上記のスライドにより、漏電安全装置３０の突起部３２は、前壁部２４ｂと背板部２１ａの前面との間の隙間に差し込まれる。漏電安全装置３０をさらにスライドさせると、漏電安全装置３０の突起部３２がスライド受け部２４ａに当接する。この状態において、突起部３２は漏電安全装置３０が背板部２１ａの前面から前方に向かって移動することを規制される。
【００５８】
図６（Ｂ）を参照して、また係止部２２は、漏電安全装置３０がスライド受け部２４ａに当接したときに前方側Ｄ４に復元する。この係止部２２の復元により、溝部２２ｃに漏電安全装置３０の背面のリブ状凸部３５がはまり込む。そして溝部２２ｃにリブ状凸部３５がはまり込んだ状態においては、溝部２２ｃとテーパー部２２ａとの境界の段差と、リブ状凸部３５と凹部３６との境界の段差とが互いにかみ合う（当接する）。
【００５９】
図３を参照して、上記の段差同士のかみ合い（当接）により、漏電安全装置３０がコントローラケース２０ａに対して第２の方向Ｄ２へ移動することが規制される。これにより漏電安全装置３０のコントローラケース２０ａへの取付動作が完了する。
【００６０】
なお図６（Ａ）、（Ｂ）に示すように、漏電安全装置３０がたとえば小型の場合、漏電安全装置３０のリブ状凸部３５は係止部２２の先端部から２組目の凹凸部２２Ａの溝部２２ｃ内にはめ込まれてもよい。この場合、上記の取付動作において、漏電安全装置３０のスライド時に、リブ状凸部３５が係止部２２の先端部から１組目の凹凸部２２Ａの凸状ストッパ部２２ｂを乗り越える必要がある。
【００６１】
この凸状ストッパ部２２ｂは、その断面形状が上記のようにたとえば半円形状を有している。このため凸状ストッパ部２２ｂは、凸状ストッパ部２２ｂの付け根から頂部までは係止部２２の長手方向に沿って徐々に厚みが増える構成を有している。よって、リブ状凸部３５が凸状ストッパ部２２ｂに接触しながらスライドされると、係止部２２は徐々に反対側Ｄ３に退避するようになる。よって、リブ状凸部３５が凸状ストッパ部２２ｂを通過する際において係止部２２は背板部２１ａに対してスムーズに弾性変形することができる。
【００６２】
また図７に示すように、漏電安全装置３０がたとえば大型の場合、漏電安全装置３０のリブ状凸部３５は係止部２２の先端部から１組目の凹凸部２２Ａの溝部２２ｃ内にはめ込まれてもよい。このように係止部２２の前面に２組の凹凸部２２Ａを係止部２２の長手方向に沿って配置することにより、大型および小型の双方の漏電安全装置３０の取付けに対応することが可能となる。
【００６３】
次に、本実施の形態の作用効果について説明する。
本実施の形態によれば、図３に示すように漏電安全装置３０の背面において、係止部２２の段差（テーパー部２２ａと溝部２２ｃとの境界の段差）と漏電安全装置３０の段差（リブ状凸部３５の凹部３６との境界の段差）とがかみ合わされる（当接される）。このため漏電安全装置３０がスライド受け部２４ａに当接したときに、係止部２２をその漏電安全装置３０の背面の領域内に収まるように位置させることができる。これにより、係止部２２が漏電安全装置３０の背面領域の外側にはみ出して位置するスペースを省略することができる。よって、コントローラケース２０ａの小型化が容易となり、そのコントローラケース２０ａおよび漏電安全装置３０の取付構造の小型化も容易となる。
【００６４】
また係止部２２の段差（テーパー部２２ａと溝部２２ｃとの境界の段差）と漏電安全装置３０の段差（リブ状凸部３５の凹部３６との境界の段差）とをかみ合わせ、またはそのかみ合わせを解除することにより、コントローラケース２０ａに対して漏電安全装置３０を容易に取付け、取外すことができる。これにより漏電安全装置３０をコントローラケース２０ａにネジで取付け、取外す場合と比較して、メンテナンスが容易になる。
【００６５】
また図６（Ａ）、（Ｂ）に示すように、係止部２２は、漏電安全装置３０がスライドするときに漏電安全装置３０の背面に押圧されて前方側Ｄ４とは反対側Ｄ３に退避し、かつ漏電安全装置３０がスライド受け部２４ａに当接したときに前方側Ｄ４に復元するように構成されている。このように係止部２２の弾性変形とその復元を利用することにより簡易な構成で漏電安全装置３０をコントローラケース２０ａに取付け、取外すことが可能となる。
【００６６】
また図６（Ａ）、（Ｂ）に示すように、係止部２２に設けられる段差は、係止部２２の前面から前方側Ｄ４に向かって突出するテーパー部２２ａと溝部２２ｃとにより構成されている。このようにテーパー部２２ａと溝部２２ｃとを設けるという簡単な構成により段部を設けることができる。
【００６７】
また図５に示すように、漏電安全装置３０に設けられる段差は、漏電安全装置３０の背面に形成されたリブ状凸部３５と凹部３６とにより構成されている。これにより漏電安全装置３０の強度向上のためのリブ状凸部３５を上記の係止部の段差とのかみ合わせに利用することができ、かみ合わせ専用の別要素の追加を省略することができる。
【００６８】
また図３に示すように漏電安全装置３０をコントローラケース２０ａに取付けた状態において、リブ状凸部３５は係止部２２の長手方向（矢印Ｄ１、Ｄ２方向）と交差する方向（たとえば直交方向）に延在する線状の突起を有している。また係止部２２に設けられた段差は、この線状突起に対して平行な方向に延在する線状のテーパー部２２ａおよび溝部２２ｃにより構成されている。これにより、リブ状凸部３５と係止部２２の段差とのかみ合いも線状にすることができるため、漏電安全装置３０がコントローラケース２０ａに対して第２の方向Ｄ２へ移動することを確実に規制することができる。
【００６９】
また電気機器として漏電ブレーカを有する漏電安全装置３０が適用されている。漏電ブレーカは比較的高い電圧を扱うため漏電安全装置３０に接続される配線３４は太くなる。この場合でも、図３に示すように係止部２２が漏電安全装置３０の背面領域内に収まるように形成されている。このため、この係止部２２が漏電安全装置３０の背面領域からはみ出して漏電安全装置３０の外側に位置するスペースを省略できる。よって、その分、太い配線３４を配置するスペースを大きく確保することもでき、太い配線３４の引き回しも容易になる。
【００７０】
また本実施の形態の漏電安全装置３０の取付構造はメンテナンスおよび小型化が容易であるため、この取付構造を有する制御ユニット自身のメンテナンスおよび小型化も容易となる。
【００７１】
さらに制御ユニット自身のメンテナンスおよび小型化が容易となるため、この制御ユニットを有する図１に示すような給湯装置１自身のメンテナンスおよび小型化も容易となる。
【００７２】
（実施の形態２）
図８を参照して、本実施の形態の漏電安全装置３０の取付構造は、実施の形態１の構成と比較して、係止部２２に設けられた突出部２２ｄの構成において異なっている。
【００７３】
本実施の形態においては、係止部２２の前面に設けられた突出部２２ｄは、たとえば半球状の形状を有している。ただし突出部２２ｄの形状は半球状に限定されず、球状の一部をなす形状であってもよい。
【００７４】
１つの係止部２２に、複数個（たとえば２個）の突出部２２ｄが形成されていてもよい。複数個の突出部２２ｄは、係止部２２の長手方向に沿って一直線上に並んでいることが好ましい。ただし複数個の突出部２２ｄは、係止部２２の長手方向に一直線状に並んでいなくてもよく、係止部２２の長手方向に沿って延びる仮想の直線から短手方向にずれて配置されていてもよい。
【００７５】
図９および図１０を参照して、漏電安全装置３０のスライドにより、漏電安全装置３０のリブ状凸部３５が突出部２２ｄに当接した際には、係止部２２は、漏電安全装置３０の背面に押圧されて前方側Ｄ４とは反対側Ｄ３に退避するように弾性変形可能である。また係止部２２は、漏電安全装置３０がスライド受け部２４ａに当接したときに前方側Ｄ４に復元できるように構成されている。
【００７６】
また上記の係止部２２の前方側への復元により、突出部２２ｄが漏電安全装置３０のリブ状凸部３５に係合するように構成されている。つまり、突出部２２ｄと係止部２２の前面とで構成される段差が、漏電安全装置３０のリブ状凸部３５と凹部３６との境界の段差にかみ合うように突出部２２ｄは構成されている。
【００７７】
上記の段差同士のかみ合いにより、漏電安全装置３０がコントローラケース２０ａに対して第２の方向Ｄ２へ移動することが規制されるように突出部２２ｄが位置付けられている。
【００７８】
図９および図１０に示すように、漏電安全装置３０がたとえば大型の場合、漏電安全装置３０のリブ状凸部３５は係止部２２の先端部から２つ目の突出部２２ｄと係合してもよい。この場合、漏電安全装置３０の取付動作における漏電安全装置３０のスライド時に、リブ状凸部３５が係止部２２の先端部から１つ目と２つ目の双方の突出部２２ｄを乗り越える必要がある。
【００７９】
この１つ目および２つ目の突出部２２ｄの双方はたとえば半球形状を有しており、係止部２２の長手方向に沿う断面形状は図１０に示すようにたとえば半円形状となっている。このため１つ目および２つ目の突出部２２ｄの各々は、係止部２２の長手方向に沿って徐々に厚みが増える構成を有している。よって、リブ状凸部３５が突出部２２ｄに接触しながらスライドされると、係止部２２は徐々に前方側Ｄ４とは反対側Ｄ３に退避するようになる。よって、リブ状凸部３５が突出部２２ｄを通過する際において係止部２２は背板部２１ａに対してスムーズに弾性変形することができる。
【００８０】
また図１１および図１２に示すように、漏電安全装置３０がたとえば小型の場合、漏電安全装置３０のリブ状凸部３５は係止部２２の先端部から１つ目の突出部２２ｄと係合されてもよい。このように係止部２２に２つの突出部２２ｄを係止部２２の長手方向に沿って配置することにより、大型および小型の双方の漏電安全装置３０の取付けに対応することが可能となる。
【００８１】
なお本実施の形態の構成および取付動作は、上記以外の構成においては実施の形態１の構成および取付動作とほぼ同じであるため、同一の要素については同一の符号を付し、その説明を繰り返さない。
【００８２】
本実施の形態においても、実施の形態１の作用効果と同様の作用効果を得ることができる。
【００８３】
また本実施の形態の突出部２２ｄは係止部２２の短手方向の全体に延在しておらず、短手方向の一部のみ形成されている。このため、突出部２２ｄの係止部２２の前面上における配置の自由度が向上する。
【００８４】
上記の実施の形態１および２においては係止部２２の全体が漏電安全装置３０の背面の領域に収まる構成について説明した。しかし、図１３に示すように漏電安全装置３０がコントローラケース２０ａに取付けられた状態において、係止部２２の自由端側の端部が漏電安全装置３０の背面の領域からはみ出していてもよい。
【００８５】
これにより図１３に示すように漏電安全装置３０がコントローラケース２０ａに取付けられた状態でも、漏電安全装置３０の背面の領域からはみ出した係止部２２の自由端側の端部を前面側とは反対側に押すことができる。このように係止部２２の自由端側の端部を押して係止部２２をたわませることで、係止部２２の突出部２２ｄと漏電安全装置３０のリブ状凸部３５との係合を容易に解除することが可能となる。
【００８６】
図１３の構成においては、係止部２２の自由端側の端部が漏電安全装置３０の背面の領域からはみ出すが、そのはみ出し寸法は作業者が工具または指で押せる程度の寸法で十分である。このため、係止部２２のはみ出しが生じても、従来例よりもスペースを省略することが可能である。
【００８７】
なお図１３は実施の形態２に適用した構成について示しているが、係止部２２の自由端側の端部を漏電安全装置３０の背面の領域からはみ出させる構成は、実施の形態１においても同様に適用することができる。
【００８８】
上記の実施の形態１および２においては段差のかみ合いの構成として、係止部２２の溝部２２ｃに漏電安全装置３０のリブ状凸部３５をはめ込む構成、係止部２２の突出部２２ｄに漏電安全装置３０のリブ状凸部３５を引っ掛ける構成が採用されている。しかし段差のかみ合いの構成は上記の構成に限定されるものではなく、係止部２２の前面と漏電安全装置３０の背面とのいずれか一方に凸部を設けるとともに、いずれか他方に凹部を設けて、凸部による段差と凹部による段差とを互いにかみ合わせる構成であれば、どのような構成も採用することができる。
【００８９】
上記の実施の形態１および２においてはコントローラケース２０ａに取付けられる電気機器としての漏電安全装置３０について説明したが、本発明に適用され得る電気機器は漏電安全装置に限定されるものではない。本発明に適用され得る電気機器は、たとえば図１に示すメインコントローラ１５の一部をなす電気回路を有する装置であってもよい。つまり、メインコントローラ１５の一部をなす電気回路が図２および図３に示す収納室２６内に収納しきれない場合に、その電気回路を有する装置が上記の形態で示したような構成によりコントローラケース２０ａの取付部２１に取付けられてもよい。この場合、取付部２１に取付けられた電気回路を有する装置は、メインコントローラ１５と有線、無線のいずれかで通信するように構成されている。
【００９０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９１】
１  給湯装置、２，３  加熱部、２ａ，３ａ  バーナー、２ｂ，３ｂ  熱交換器、４ａ  循環往路、４ｂ  循環復路、５  循環ポンプ、６  給水路、７  給湯路、８  カラン、９  分岐通路、１０  電磁弁、１１  逆止弁、１４  電源部、１５  メインコントローラ、１６  遠隔コントローラ、２０  制御ユニット、２０ａ  コントローラケース、２１  漏電安全装置取付部、２１ａ  背板部、２２  係止部、２２Ａ  凹凸部、２２ａ  テーパー部、２２ｂ  凸状ストッパ部、２２ｃ  溝部、２２ｄ  突出部、２４ａ  スライド受け部、２４ｂ  前壁部、２５，２６  収納室、３０  漏電安全装置、３１  本体部、３２  突起部、３３  配線接続部、３４  配線、３５  リブ状凸部、３６  凹部。
【図１】
2014119231.tif 000003
【図２】
2014119231.tif 000004
【図３】
2014119231.tif 000005
【図４】
2014119231.tif 000006
【図５】
2014119231.tif 000007
【図６】
2014119231.tif 000008
【図７】
2014119231.tif 000009
【図８】
2014119231.tif 000010
【図９】
2014119231.tif 000011
【図１０】
2014119231.tif 000012
【図１１】
2014119231.tif 000013
【図１２】
2014119231.tif 000014
【図１３】
2014119231.tif 000015